(57)【要約】【課題】コンクリートの打設状態を十分に確認することができるとともに投光器を移動させる等の作業を不要とする。【解決手段】コンクリート打設用の型枠２に設けられた開口２１よりコンクリート打設空間Ｓ２内へ突出させられる、透光性材料よりなる柱状のハウジング１を備え、ハウジング１は中空体で、当該ハウジング１内に照明具を挿入設置する。【選択図】        図４
2015121054.tif 000002
【特許請求の範囲】
【請求項１】
コンクリート打設用の型枠に設けられた開口よりコンクリート打設空間内へ突出させられる、透光性材料よりなる柱状のハウジングを備え、当該ハウジング内に照明体を設けることを特徴とするコンクリート型枠の照明装置。
【請求項２】
前記ハウジングは中空体で、当該ハウジング内に照明体としての照明具を挿入設置するようになっている請求項１に記載のコンクリート型枠の照明装置。
【請求項３】
前記ハウジングを先端に向けて漸次縮径するテーパ状に成形して、検測ピンとして使用する請求項１又は２に記載のコンクリート型枠の照明装置。
【発明の詳細な説明】
【技術分野】
【０００１】
本発明はコンクリート型枠の照明装置に関し、特にトンネル覆工コンクリートを打設するための型枠に好適に使用できる照明装置に関するものである。
【背景技術】
【０００２】
トンネルの二次覆工コンクリートは、アーチ状に成形された型枠とトンネル内壁との間に閉鎖形成された打設空間内へ注入されるが、打設空間は比較的狭い上に、空間頂部での打設は高所での作業となる。そして外光の届かない打設空間内の照明は従来、アイランプ等の投光器を型枠外周の適宜箇所に設けた点検窓等から打設空間内へ挿入して行っている。
【０００３】
なお、特許文献１には型枠の一部に検測ピン部を設けた法枠用枠部材が示されている。
【先行技術文献】
【特許文献】
【０００４】
【特許文献１】特開２００２−２８５５６１
【発明の概要】
【発明が解決しようとする課題】
【０００５】
しかし、上記従来の照明方法では、覆工コンクリートの打設が進むと点検窓が順次閉じられるために投光器を別の点検窓へ移動させる必要があり、打設状態を最後まで十分に確認することができないとともに、打設状況に合わせて投光器の位置を変更する等の作業に難渋するという問題があった。
【０００６】
そこで、本発明はこのような課題を解決するもので、コンクリートの打設状態を十分に確認することができるとともに投光器を移動させる作業も不要となるコンクリート型枠の照明装置を提供することを目的とする。
【課題を解決するための手段】
【０００７】
上記課題を解決するために、本第１発明では、コンクリート打設用の型枠（２）に設けられた開口（２１）よりコンクリート打設空間（Ｓ２）内へ突出させられる、透光性材料よりなる柱状のハウジング（１）を備え、当該ハウジング（１）内に照明体を設けることを特徴とする。
【０００８】
本第１発明において、打設空間にコンクリートを注入するのに先立って、型枠の開口から透光性材料よりなる柱状のハウジングを上記打設空間へ突出させると、突出させたハウジング内に設けられた照明体によって打設空間内が照明される。コンクリートが打設空間に注入されてもハウジングはそのまま打設空間内に突出した状態に置くことができるから、コンクリートの打設状態を十分に確認することができる。
【０００９】
本第２発明では、前記ハウジング（１）は中空体で、当該ハウジング（１）内に照明体としての照明具を挿入設置するようになっている。
【００１０】
本第２発明によれば、ハウジング内に市販の例えばＬＥＤハンディライト等を挿入することによって、簡易に照明装置が実現される。
【００１１】
本第３発明では、前記ハウジング（１）を先端に向けて漸次縮径するテーパ状に成形して、検測ピンとして使用する。
【００１２】
本第３発明においては、ハウジングを検測ピンと兼用しているからコスト低減が図られるとともに、検測ピンを打設空間内へ突出させるために型枠に設けられた複数の開口をそのまま利用することが可能である。
【００１３】
上記カッコ内の符号は、後述する実施形態に記載の具体的手段との対応関係を示すものである。
【発明の効果】
【００１４】
以上のように、本発明のコンクリート型枠の照明装置によれば、打設状態を十分に確認することができるとともに投光器を移動させる作業も不要となる。
【図面の簡単な説明】
【００１５】
【図１】照明装置のハウジングの全体側面図である。
【図２】ハウジングを基端側から見た端面図である。
【図３】型枠に設けられたハウジング取付部の断面図である。
【図４】型枠に設置された照明装置の半断面側面図である。
【図５】型枠の開口を閉鎖した栓部材の断面図である。
【発明を実施するための形態】
【００１６】
図１、図２には検測ピンとして兼用可能な照明装置のハウジング１の一例を示す。図１はハウジング１の全体側面図であり、図２は上記ハウジング１を基端側から見た端面図である。ハウジング１はアクリル等の透明樹脂材よりなる中空の円筒柱体で、その基端半部１１は平行円筒体である。一方、その先端半部１２はバフ研磨等によって先端に向けて漸次小径となるテーパ状の円筒体としてある。そして、先端半部の長さＬは、コンクリートの設計巻厚よりもやや長くしてある。
【００１７】
ハウジング１の先端は閉鎖され、一方、ハウジング１の基端は開放されて、ハウジング１内に先端閉鎖の照明具挿入用空間Ｓ１が形成されている。また、ハウジング１の基端部には、周壁の径方向対称位置に円形のピン挿入孔１３が設けられて、後述するように、ハウジング１を横断するようにこれらピン挿入孔１３に回転操作ピンを貫通させてハウジング１を軸回りに回転操作できるようになっている。
【００１８】
図３はコンクリート打設用の型枠２に設けられるハウジング取付部３の断面を示す。図３において、型枠２の外方（図３の上方）が覆工コンクリートの打設空間Ｓ２となっており、型枠２には、覆工コンクリートの巻厚を測定すべき複数個所（図３はそのうちの一か所を示す）に円形開口２１が形成されて、当該開口２１に連通するように型枠２の内方にハウジング取付部３が設けられている。
【００１９】
ハウジング取付部３は、一端開口縁が型枠２の内側面に接合された、上記開口２１よりもやや大径の円筒体３１を備えており、円筒体３１の周壁の径方向対称位置には外方から固定用ボルト３２が捩じ込まれて、その先端が円筒体３１の内空間へ進出可能となっている。
【００２０】
このような構造の照明装置において、打設空間Ｓ２へ覆工コンクリートを注入打設するのに先立って、図４に示すように型枠２の内方からハウジング取付部３の円筒体３１内へハウジング１を挿入し、その先端半部１２を打設空間Ｓ２へ突出させる。この際、ハウジング１の基端半部１１の外周が開口２１の内周に液密的に接してこれを閉鎖する。その後、固定用ボルト３２を捩じ込んでその先端をハウジング１の外周面へ当接させて当該ハウジング１を位置決め固定する。
【００２１】
この状態でハウジング１の基端開口から照明具挿入用空間Ｓ１内へＬＥＤハンディライト等の照明具（図示略）を挿入する。照明具からの発光は透明なハウジング１の先端半部１２から打設空間Ｓ２内へ放射されて当該注入空間Ｓ２内を明るく照らす。コンクリートが注入されて照明装置付近に至っても、検測ピンを兼ねる照明装置のハウジング１はそのまま打設空間Ｓ２内に突出した状態におかれるから、コンクリートの打設状態を十分に確認することができる。
【００２２】
覆工コンクリートの打設が終了した後は、固定用ボルト３２を緩めてその先端をハウジング１の外周から離間させ、ピン挿入孔１３に公知の回転操作ピンを挿入してハウジング１をその軸回りに回転させつつ型枠２内へ退入させて（図４の下方）覆工コンクリートおよびハウジング取付部３の円筒体３１内から抜き出す。この場合、ハウジング１の先端半部１２は外周面が先端に向けて縮径するテーパ状になっているから覆工コンクリートから抜き出し易い。
【００２３】
その後、覆工コンクリート内の、ハウジング１を抜き出した跡に生じた空洞を利用して公知の方法で当該覆工コンクリートの巻厚を測定する。巻厚測定後は図５に示すように、先端閉鎖の円筒状栓部材４をハウジング取付部３の円筒体３１内へ挿入して、その先端面４１が型枠２の外周面と面一になるようにして開口２１を閉鎖する。そして、この状態で固定用ボルト３２を締めて栓部材４を位置決め固定する。
【００２４】
上記実施形態では照明装置のハウジング１を検測ピンと共用したが、照明装置専用としても良く、この場合はハウジング１の先端半部１２を必ずしもテーパ状に成形する必要は無く、基端半部１１から先端半部１２まで全体を同径の筒体としても良い。このようにすると、ハウジング１をハウジング取付部３の円筒体３１内に退入させた状態でその先端面が開口２１を確実に閉鎖するから、栓部材４を設ける必要がなくなる。
【００２５】
さらに上記実施形態ではハウジング１を中空にして内部に照明具を挿入するようにしたが、ハウジング１を中実にして内部に発光素子等の照明体を埋設した構造とすることもできる。
【符号の説明】
【００２６】
１…ハウジング、２…型枠、２１…開口、Ｓ２…打設空間。
【図１】
2015121054.tif 000003
【図２】
2015121054.tif 000004
【図３】
2015121054.tif 000005
【図４】
2015121054.tif 000006
【図５】
2015121054.tif 000007